(57)【特許請求の範囲】
【請求項１】
軸支持部を有する機体と、
前記軸支持部にて支持され、フランジ部を有し、耕耘爪が取り付けられた回転軸体と、
前記フランジ部に取り付けられ、前記軸支持部への雑物の巻付きを防止する巻付防止手段とを備え、
前記巻付防止手段は、
前記フランジ部に取り付けられ、前記回転軸体の径方向の螺合孔部を有する取付体と、
前記螺合孔部への螺合部材の螺合によって前記取付体に取り付けられ、前記軸支持部への雑物の巻付きを防止する巻付防止体とを有する
ことを特徴とする農作業機。
【請求項２】
取付体は、取付部材を用いて回転軸体のフランジ部に取り付けられ、
巻付防止体は、螺合部材を用いて前記取付体に取り付けられている
ことを特徴とする請求項１記載の農作業機。
【請求項３】
巻付防止体は、回転軸体の回転中心軸線を中心とする円弧板状に形成され、機体の軸支持部の外周部を覆う巻付防止板部を有する
ことを特徴とする請求項１または２記載の農作業機。
【請求項４】
巻付防止体は、機体の軸支持部および回転軸体のフランジ部の両方を覆う
ことを特徴とする請求項１ないし３のいずれか一記載の農作業機。
【請求項５】
巻付防止手段は、回転軸体の回転方向に沿って複数並設され、
前記複数の巻付防止手段によって、機体の軸支持部の外周部の全周が覆われている
ことを特徴とする請求項１ないし４のいずれか一記載の農作業機。
【発明の詳細な説明】
【技術分野】
【０００１】
本発明は、巻付防止手段を容易に取り付けることができる農作業機に関するものである。
【背景技術】
【０００２】
従来、例えば下記の特許文献１に記載された農作業機が知られている。
【０００３】
この従来の農作業機は、軸支持部を有する機体と、この機体の軸支持部にて支持され、フランジ部を有する回転軸体と、この回転軸体のフランジ部に取り付けられ、機体の軸支持部への雑物の巻付きを防止する巻付防止手段とを備えている。
【先行技術文献】
【特許文献】
【０００４】
【特許文献１】特開２００５−３０４４０３号公報
【発明の概要】
【発明が解決しようとする課題】
【０００５】
そして、巻付防止手段を備える農作業機においては、巻付防止手段を容易に取り付けることができるものが求められている。
【０００６】
本発明は、このような点に鑑みなされたもので、巻付防止手段を容易に取り付けることができる農作業機を提供することを目的とする。
【課題を解決するための手段】
【０００７】
請求項１記載の農作業機は、軸支持部を有する機体と、前記軸支持部にて支持され、フランジ部を有し、耕耘爪が取り付けられた回転軸体と、前記フランジ部に取り付けられ、前記軸支持部への雑物の巻付きを防止する巻付防止手段とを備え、前記巻付防止手段は、前記フランジ部に取り付けられ、前記回転軸体の径方向の螺合孔部を有する取付体と、前記螺合孔部への螺合部材の螺合によって前記取付体に取り付けられ、前記軸支持部への雑物の巻付きを防止する巻付防止体とを有するものである。
【０００８】
請求項２記載の農作業機は、請求項１記載の農作業機において、取付体は、取付部材を用いて回転軸体のフランジ部に取り付けられ、巻付防止体は、螺合部材を用いて前記取付体に取り付けられているものである。
【０００９】
請求項３記載の農作業機は、請求項１または２記載の農作業機において、巻付防止体は、回転軸体の回転中心軸線を中心とする円弧板状に形成され、機体の軸支持部の外周部を覆う巻付防止板部を有するものである。
【００１０】
請求項４記載の農作業機は、請求項１ないし３のいずれか一記載の農作業機において、巻付防止体は、機体の軸支持部および回転軸体のフランジ部の両方を覆うものである。
【００１１】
請求項５記載の農作業機は、請求項１ないし４のいずれか一記載の農作業機において、巻付防止手段は、回転軸体の回転方向に沿って複数並設され、前記複数の巻付防止手段によって、機体の軸支持部の外周部の全周が覆われているものである。
【発明の効果】
【００１２】
本発明によれば、巻付防止手段を容易に取り付けることができ、また、巻付防止手段によって雑物の巻付きを防止できる。
【図面の簡単な説明】
【００１３】
【図１】本発明の第１の実施の形態に係る農作業機の側面図である。
【図２】同上農作業機の概略構成図である。
【図３】（ａ）は同上農作業機の部分斜視図で、（ｂ）は巻付防止手段の分解斜視図である。
【図４】同上農作業機の背面視部分断面図である。
【図５】同上農作業機の部分側面図である。
【図６】本発明の第２の実施の形態に係る農作業機の背面視部分断面図である。
【図７】本発明の第３の実施の形態に係る農作業機の部分側面図である。
【図８】本発明の第４の実施の形態に係る農作業機の背面視部分断面図である。
【図９】本発明の第５の実施の形態に係る農作業機の部分側面図である。
【発明を実施するための形態】
【００１４】
本発明の第１の実施の形態について図１ないし図５を参照して説明する。
【００１５】
図中の１は農作業機で、この農作業機１は、例えば走行車であるトラクタ（図示せず）の後部に連結され、トラクタの走行により圃場を前方（進行方向）に移動しながら耕耘整地作業をする耕耘作業機である。
【００１６】
農作業機１は、トラクタの後部の３点リンク（農作業機昇降支持装置）に連結された機体２を備えている。
【００１７】
機体２は、前後方向の入力軸３が前方に向かって突設されたミッションケース４を左右方向中央部に有している。なお、入力軸３は、トラクタのＰＴＯ軸にジョイントを介して接続され、そのＰＴＯ軸の回転時に回転してトラクタ側からの動力を農作業機１側へ入力する。
【００１８】
ミッションケース４の左右の側面部には、左右方向長手状のフレームパイプ５の内端部がそれぞれ取り付けられている。一方側である左側のフレームパイプ５の外端部である左端部には箱状のチェーンケース（一方側軸支持体）６の上端部が取り付けられている。他方側である右側のフレームパイプ５の外端部である右端部には板状のブラケット（他方側軸支持体）７の上端部が取り付けられている。
【００１９】
そして、互いに離間対向するチェーンケース６の下部とブラケット７の下部との間には、入力軸３側からの動力によって所定の回転方向（例えばダウンカット方向）に回転しながら耕耘作業をする耕耘手段（ロータリー）11が架設されている。
【００２０】
また、耕耘手段11の上方部は機体２の耕耘カバー10によって覆われており、この耕耘カバー10の後端部には、耕耘手段11の後方で整地作業をする板状の整地手段（均平板）12が左右方向の軸13を中心として上下方向に回動可能に設けられている。なお、整地手段12と機体２との間には、整地手段12の接地圧を調整するための接地圧調整手段15が設けられている。機体２の前部には、耕耘手段11の耕耘深さを調整するためのゲージ輪手段16が設けられている。
【００２１】
耕耘手段11は、図２等に示されるように、入力軸３側からの動力によって左右方向の回転中心軸線Ｘを中心として回転する左右方向長手状の回転軸体（耕耘軸体）21と、この回転軸体21に脱着可能に取り付けられ、耕耘作業をする複数の耕耘爪22とを有している。なお、耕耘爪22には、複数のボルト用孔22aが形成されている。
【００２２】
回転軸体21は、その軸方向両端部が機体２の左右の内方突出状の軸支持部20にて回転可能に支持されている。つまり、回転軸体21の軸方向一端部である左端部が、チェーンケース６の鉛直板部6aの下部に固設された円筒状の軸支持部（軸受ハウジング）20にてベアリング19を介して回転可能に支持され、かつ、回転軸体21の軸方向他端部である右端部が、ブラケット７の下部に固設された円筒状の軸支持部（軸受ハウジング）20にてベアリング19を介して回転可能に支持されている。
【００２３】
そして、回転軸体21の軸方向両端側の鍔部であるフランジ部40の各々には、機体２の軸支持部20の外周部（外周面）を覆ってこの軸支持部20の外周部への雑物（草や稲わら等）の巻付きを防止する複数の巻付防止手段25が脱着可能に取り付けられている。
【００２４】
すなわち例えば、左側の２つの巻付防止手段25によってチェーンケース６側のボス部である軸支持部20の外周部の全周（略全周を含む）が覆われ、かつ、右側の２つの巻付防止手段25によってブラケット７側のボス部である軸支持部20の外周部の全周（略全周を含む）が覆われている。
【００２５】
なお、農作業機１は、左右２個ずつで合計４個の巻付防止手段25を備えているが、左側の巻付防止手段25と右側の巻付防止手段25とは略左右対称の構成である。
【００２６】
ここで、回転軸体21は、左右方向（軸方向）に間隔をおいて並ぶ複数の円板状の板状部である耕耘爪取付部（フランジ）30を有する耕耘軸31と、この耕耘軸31の左端部の耕耘爪取付部30に取り付けられたスプライン軸（左軸）32と、耕耘軸31の右端部の耕耘爪取付部30に取り付けられた右軸33とを有している。
【００２７】
スプライン軸32および右軸33の各々は、左右方向の軸状部36と、この軸状部36の内端部に一体に設けられた円板状の板状部（フランジ）37とにて構成されている。
【００２８】
そして、互いに対向して重なり合った板状部37と耕耘爪取付部30とにて、回転軸体21の左右の最外端のフランジ部（軸端フランジ部）40が構成されている。フランジ部40は、回転軸体21の軸方向両端部にそれぞれ位置し、このフランジ部40に複数のボルト用孔40aが形成されている。
【００２９】
なお、スプライン軸32の軸状部36には、スプロケット38がスプライン嵌合されてダブルナット39で固定されている。スプロケット38には、チェーンケース６内に配設されたチェーン（図示せず）が巻き掛けられている。
【００３０】
巻付防止手段25は、回転軸体21のフランジ部40に脱着可能に取り付けられ、螺合孔部45を有する取付体（特殊ナット）41と、螺合孔部45へのボルト（螺合部材）43の螺合によって取付体41に脱着可能に取り付けられ、機体２の軸支持部20の外周部への雑物の巻付きを防止する湾曲板状の巻付防止体42とを有している。
【００３１】
なお、螺合部材であるボルト43は、例えば六角状のボルト頭部43aと、このボルト頭部43aに一体に設けられたボルト軸部43bとを有している。
【００３２】
取付体41は、例えば板状ナット46と、この板状ナット46に溶接等によって固定された複数（例えば２枚）のプレート47とによって一体に構成されたものである。
【００３３】
取付体41は、長手状で板状の取付板部48を有し、この取付板部48には板厚方向のねじ孔部49が複数（例えば２つ）形成されている。そして、取付ボルト50がフランジ部40のボルト用孔40aからねじ孔部49に螺合されることによって、取付体41がフランジ部40に取り付けられている。
【００３４】
また、取付板部48には、板厚方向に対して直交する方向（回転軸体21の径方向）のねじ孔部である螺合孔部45が複数（例えば２つ）形成されている。つまり、螺合孔部45は、取付板部48の一部を構成する２枚のプレート47の各々に形成されている。
【００３５】
巻付防止体42は、例えば取付体41の取付板部48よりも長手状で円弧状に湾曲した板状部材51と、この板状部材51に溶接等によって固定された複数（例えば２枚）のプレート52とによって一体に構成されたものである。
【００３６】
巻付防止体42は、回転軸体21の回転中心軸線Ｘを中心とする円弧板状（略円弧板状を含む）で細長い巻付防止板部53を有し、この巻付防止板部53によって機体２の軸支持部20の外周部が覆われている。
【００３７】
また、巻付防止板部53には、回転軸体21の径方向外方に向かって開口した凹状の複数（例えば２つ）の収納凹部54が取付体41の螺合孔部45に対応する位置にそれぞれ設けられている。この各収納凹部54の底板部分には、螺合孔部45と連通するボルト用孔54aが形成されている。そして、ボルト43は、ボルト軸部43bがボルト用孔54aから螺合孔部45に螺合され、ボルト頭部43aが収納凹部54に収納されている。つまり、螺合孔部45へのボルト43の螺合のみによって巻付防止体42が取付体41に取り付けられ、この取付状態時において、ボルト頭部43aは、その全体がばね座金26および平座金27とともに収納凹部54に収納されており、巻付防止板部53の外面から外方へ突出していない（図５参照）。
【００３８】
さらに、巻付防止板部53には切欠状の爪挿通部（切欠部）55が形成され、この爪挿通部55に耕耘爪22が挿通されている。耕耘爪22は、取付ボルト50および爪取付ナット（特殊ナット）56によって回転軸体21のフランジ部40に脱着可能に取り付けられている。つまり、取付ボルト50がボルト用孔22a，40aから爪取付ナット56のねじ孔部57に螺合されることによって、耕耘爪22がフランジ部40に取り付けられている。
【００３９】
次に、農作業機１の作用等を説明する。
【００４０】
トラクタの後部に農作業機１を連結して、そのトラクタの走行により農作業機１を前方に移動させると、耕耘手段11の各耕耘爪22が回転軸体21と一体となって回転中心軸線Ｘを中心として所定の回転方向に回転しながら耕耘作業をし、この耕耘手段11の後方では、整地手段12が整地作業をして圃場面を平らにする。
【００４１】
この際、耕耘手段11の回転軸体21の軸方向両端側の位置において、回転軸体21をベアリング19を介して支持した軸支持部20の外周面の全体（略全体を含む）が、回転軸体21の回転方向に沿って複数並設された複数の巻付防止手段25によって覆われている。
【００４２】
このため、圃場における草や稲わら等の雑物は、軸支持部20の外周部に巻付くようなことがない。また、各巻付防止体42の巻付防止板部53の外側端部がチェーンケース６やブラケット７の内面に対して近接状に位置するため、草や稲わら等の雑物は、巻付防止板部53とチェーンケース６との間の若干の隙間58や、巻付防止板部53とブラケット７との間の若干の隙間59から、巻付防止板部53と軸支持部20との間の空間部60に入り込むようなこともない。
【００４３】
さらに、互いに隣り合う両巻付防止板部53間には、若干の隙間63が存在するが、この隙間63から空間部60内に雑物が入り込むようなこともない。なお、この隙間63は、巻付防止手段25の組み付けを容易にするためのものであるが、必ずしも必要ではなく、互いに隣り合う両巻付防止板部53の対向端部同士を接触させてもよい。
【００４４】
そして、上記農作業機１によれば、巻付防止手段25は、互いに別体である取付体41および巻付防止体42を有し、螺合孔部45へのボルト43の螺合のみによって巻付防止体42を取付体41に取り付けることができるため、回転軸体21のフランジ部40に対して巻付防止手段25を容易に取り付けることができ、各巻付防止手段25の組み付け性が良好である。
【００４５】
また、巻付防止体42を取付体41に取り付けるためのボルト43はボルト頭部43aを有し、巻付防止体42はそのボルト頭部43aを収納する収納凹部54を有するため、ボルト頭部43aは巻付防止板部53の外周面から突出しておらず、ボルト43のボルト頭部43aへの土付着を防止でき、また、ボルト頭部43aの磨耗を防止できる。
【００４６】
さらに、巻付防止体42は、回転軸体21の回転中心軸線Ｘを中心とする円弧板状に形成され機体２の軸支持部20を覆う巻付防止板部53を有するため、この巻付防止板部53によって雑物の巻付きを適切に防止できる。
【００４７】
また、巻付防止手段25は回転軸体21の回転方向に沿って互いに隣接して複数並設され、これら複数の巻付防止手段25によって機体２の軸支持部（軸受け部）20の外周部の全周が覆われているため、雑物の巻付きをより一層適切に防止できる。
【００４８】
さらに、巻付防止体42の巻付防止板部53が磨耗ですり減った場合には、巻付防止体42のみを交換すればよく、取付体41をそのまま使用できる。
【００４９】
また、巻付防止体42は、機体２の軸支持部20とともに爪取付ナット56を覆っているため、軸支持部20への雑物の巻付きを防止できるばかりでなく、爪取付ナット56の磨耗も防止できる。
【００５０】
なお、巻付防止手段25の巻付防止体42は、例えば図６に示すように、巻付防止板部53の幅寸法を図４のものに比べて長くすることにより、軸支持部20の外周部およびフランジ部40の外周部の両方を覆うようにしてもよい。
【００５１】
つまり、図６に示す巻付防止体42は、軸支持部20の外周部を覆う巻付防止板部53の内側端部に連設されたフランジ覆い部61を有し、このフランジ覆い部61によってフランジ部40の外周部が覆われている。このため、土との接触によるフランジ部40の磨耗を防止できる。
【００５２】
また、農作業機１は、左右２個ずつで合計４個の巻付防止手段25を備えた構成には限定されず、例えば図７に示すように、左右３個ずつで合計６個の巻付防止手段25を備えた構成でもよい。つまり、回転軸体21の軸方向端部に位置する各フランジ部40には、そのフランジ部40に取り付けた耕耘爪（サイド爪）22の数と同数の巻付防止手段25が取り付けられている。
【００５３】
さらに、取付体41の螺合孔部45の数や、それに対応するボルト43の数は、任意であり、例えば取付体41に１つの螺合孔部45を形成して、その螺合孔部45への１本のボルト43の螺合によって巻付防止体42を取付体41に取り付けるようにしてもよい。
【００５４】
また、回転軸体21は、互いに連結する複数の軸部材（耕耘軸31、スプライン軸32および右軸33）からなるものには限定されず、例えば図８に示すように、スプライン軸部70および複数の耕耘爪取付部30を有する１本の軸状の耕耘軸71からなるものでもよい。この場合、回転軸体21の各フランジ部40は、耕耘軸71の最外端の耕耘爪取付部30にて構成されている。
【００５５】
さらに、巻付防止体42は、円弧板状の巻付防止板部53を有するが、この円弧板状の巻付防止板部53には、例えば図９に示すような複数箇所で若干屈曲した略円弧板状のものが含まれる。
【００５６】
さらに、農作業機１は、耕耘作業機には限定されず、例えば畦塗り機や収穫機等にも適用可能である。
【００５７】
なお、本発明のいくつかの実施の形態およびその変形例について説明したが、本発明の要旨を逸脱しない範囲で、前記各実施の形態および各変形例を適宜組み合わせることも可能である。
【符号の説明】
【００５８】
１    農作業機
２    機体
20    軸支持部
21    回転軸体
25    巻付防止手段
40    フランジ部
41    取付体
42    巻付防止体
43    螺合部材であるボルト
43a   ボルト頭部
45    螺合孔部
53    巻付防止板部
54    収納凹部
Ｘ    回転中心軸線
【図１】
0006745108.tif 000002
【図２】
0006745108.tif 000003
【図３】
0006745108.tif 000004
【図４】
0006745108.tif 000005
【図５】
0006745108.tif 000006
【図６】
0006745108.tif 000007
【図７】
0006745108.tif 000008
【図８】
0006745108.tif 000009
【図９】
0006745108.tif 000010